(57)【特許請求の範囲】
【請求項１】
被検者眼の眼底を撮影する眼底撮影装置において、
被検者眼の眼底像を取得する撮像素子を有する撮像手段と、
被検者眼と前記撮像手段とのアライメントずれ量を検出するアライメント検出手段と、
被験者眼の眼底に視標を投影する指標投影手段と、
被験者眼に対する前記撮像手段のアライメントずれ量と、前記撮像手段が撮像した前記視標とに基づいて、被検者眼の眼底と前記撮像素子とのフォーカスずれ量を検出するフォーカス検出手段と、
を備えることを特徴とする眼底撮影装置。
【請求項２】
被験者眼の眼底を撮影する眼底撮影装置において、
被験者眼の眼底像を取得する撮像素子を有する撮像手段と、
被験者眼と前記撮像手段とのアライメントずれ量を検出するアライメント検出手段と、
被験者眼の眼底と前記撮像素子とのフォーカスを調整するための視標を、被験者眼の眼底に投影する視標投影手段と、
前記フォーカスが合った場合に前記撮像手段によって撮像される前記視標の分離状態を、被験者眼と前記撮像手段とのアライメントずれ量に応じて取得する取得手段とを備え、
前記撮像手段によって撮像された前記視標が、前記取得手段によって取得された前記分離状態となったか否かによって、前記フォーカスの調整が完了したか否かが判定されることを特徴とする眼底撮影装置。
【発明の詳細な説明】
【技術分野】
【０００１】
本発明は、被検者眼の眼底を撮影する眼底撮像装置に関する。
【背景技術】
【０００２】
従来、被検者眼の眼底を撮影する眼底撮像装置は、撮影部と眼底とのフォーカス合わせをするためのフォーカス光学系を有しており、眼底と撮影部とのフォーカス状態を示す周知のスプリット指標の合致状態に基づき、フォーカシングレンズを手動又は自動（オートフォーカス）で光軸方向に移動することで、眼底と撮影部とのフォーカス合わせを行っている。しかし、被検者眼が小瞳孔である場合や、眼底の周辺位置の撮影（周辺撮影）を行う場合には、虹彩等によって撮影光束の一部が遮光される（ケラレる）可能性が高くなり、眼底に投影されるスプリット指標の一方が欠けてしまうことで、光学的に検出されたスプリット指標を用いた合焦操作が出来なくなってしまう場合がある。このようなスプリット視標の欠落の問題を解決するために、瞳孔径に対応してアライメントマークを基準位置からオフセットした位置に表示させる制御を行う眼底カメラが知られている（特許文献１参照）。
【先行技術文献】
【特許文献】
【０００３】
【特許文献１】特開２００８‐２７８９１４号公報
【発明の概要】
【発明が解決しようとする課題】
【０００４】
しかしながら、オフセットした位置にアライメントマークを表示させて装置を位置合わせする場合、実際にはフォーカスが合っていてもアライメント基準位置からのずれ（オフセット）によって一対のスプリット指標が合致せず、ずれた状態で表示されてしまう場合があり、フォーカス状態が判り難いという問題が生じ易い。また、周辺撮影においてオフセットを行い自動アライメント・フォーカス制御を行った場合でも、フォーカスが合っている状態でありながらスプリット指標が合致していない状態で確認されてしまうこととなり、フォーカス状態が把握し難い。
【０００５】
本発明は、上記従来技術の問題点に鑑み、撮影条件や被検者眼の状態に関わらず眼底に対するフォーカス状態を好適に把握することのできる眼科撮影装置を提供することを技術課題とする。
【課題を解決するための手段】
【０００６】
上記課題を解決するために、本発明は以下のような構成を備えることを特徴とする。
【０００７】
（１）  被検者眼の眼底を撮影する眼底撮影装置において、被検者眼の眼底像を取得する撮像素子を有する撮像手段と、被検者眼と前記撮像手段とのアライメントずれ量を検出するアライメント検出手段と、被験者眼の眼底に視標を投影する指標投影手段と、被験者眼に対する前記撮像手段のアライメントずれ量と、前記撮像手段が撮像した前記視標とに基づいて、被検者眼の眼底と前記撮像素子とのフォーカスずれ量を検出するフォーカス検出手段と、を備えることを特徴とする。
（２）  被験者眼の眼底を撮影する眼底撮影装置において、被験者眼の眼底像を取得する撮像素子を有する撮像手段と、被験者眼と前記撮像手段とのアライメントずれ量を検出するアライメント検出手段と、被験者眼の眼底と前記撮像素子とのフォーカスを調整するための視標を、被験者眼の眼底に投影する視標投影手段と、前記フォーカスが合った場合に前記撮像手段によって撮像される前記視標の分離状態を、被験者眼と前記撮像手段とのアライメントずれ量に応じて取得する取得手段とを備え、前記撮像手段によって撮像された前記視標が、前記取得手段によって取得された前記分離状態となったか否かによって、前記フォーカスの調整が完了したか否かが判定されることを特徴とする。
【発明の効果】
【０００８】
本発明によれば、撮影条件や被検者眼の状態に関わらず眼底に対するフォーカス状態を好適に把握することのできる眼科撮影装置を提供できる。
【発明を実施するための形態】
【０００９】
本発明に係る実施形態を図面に基づき説明する。図１は眼底カメラの外観構成の説明図である。眼底カメラは、基台１と、基台１に対して左右方向（Ｘ方向）及び前後（作動距離、Ｚ方向）に移動可能な移動台２と、移動台２に対して３次元方向に移動可能に設けられ，後述する光学系が収納された撮影部（装置本体）３と、被検者の顔を支持するために基台１に固設された顔支持ユニット５を備える。
【００１０】
撮影部３は、移動台２に設けられたパルスモータ等からなる駆動部６によって、被検者眼Ｅに対し三次元（ＸＹＺ）方向に移動される。また、移動台２はジョイスティック４の操作で基台１上をＸＺ方向に移動される。また、回転ノブ４ａの回転操作によって駆動部６が駆動されることで撮影部３がＹ方向に移動される。なお、撮影部３の検者側には、被検者眼の前眼部像、眼底観察像又は眼底撮影像を表示する表示部（モニタ）８が設けられている。
【００１１】
図２は眼底カメラの光学系及び制御系の概略構成図である。光学系は、照明光学系１０、被検者眼の眼底の観察・撮影を行う眼底観察・撮影光学系３０、被検者眼の眼底にスプリット指標（フォーカス指標）を投影するためのスプリット指標投影光学系４０、被検者眼の前眼部にアライメント用指標光束を投影するアライメント指標投影光学系５０、被検者眼の前眼部を撮影する前眼部観察光学系６０、被検者眼の視線を誘導するための固視標呈示光学系７０から構成されている。
【００１２】
＜照明光学系＞  照明光学系１０は、観察照明光学系と撮影照明光学系を有する。撮影照明光学系は、フラッシュランプ，ＬＥＤ等の撮影光源１４、コンデンサレンズ１５、リング状の開口を有するリングスリット１７、リレーレンズ１８、ミラー１９、中心部に黒点を有する黒点板２０、リレーレンズ２１、孔あきミラー２２、対物レンズ２５を有する。
【００１３】
観察照明光学系は、ハロゲンランプ等の観察光源１１、波長７５０ｎｍ以上の近赤外光を透過する赤外フィルタ１２、コンデンサレンズ１３、コンデンサレンズ１３とリングスリット１７との間に配置されたダイクロイックミラー１６、リングスリット１７から対物レンズ２５までの光学系を有する。ダイクロイックミラー１６は、赤外光を反射し可視光を透過する特性を持つ。
【００１４】
＜眼底観察・撮影光学系＞  眼底観察・撮影光学系３０は、対物レンズ２５、孔あきミラー２２の開口近傍に位置する撮影絞り３１、光軸方向に移動可能なフォーカシングレンズ３２、結像レンズ３３、眼底撮影時には挿脱機構３９により光路から挿脱可能な跳ね上げミラー３４を備え、対物レンズ２５と，撮影絞り３１から結像レンズ３３までの光学系を眼底観察光学系と共用する。また、眼底からの反射光は可視域に感度を有する撮影用二次元撮像素子３５で撮像される。なお、撮影絞り３１は対物レンズ２５に関して被検者眼Ｅの瞳孔と略共役な位置に配置される。フォーカシングレンズ３２は、モータを備える移動機構４９にて光軸方向に移動される。
また、跳ね上げミラー３４の反射方向の光路には、赤外光反射・可視光透過の特性を有するダイクロイックミラー３７、リレーレンズ３６、赤外域に感度を有する観察用の二次元撮像素子３８が配置されている。
【００１５】
観察光源１１を発した光束は、赤外フィルタ１２で赤外光束とされ、コンデンサレンズ１３、ダイクロイックミラー１６により反射されてリングスリット１７を照明する。リングスリット１７を透過した光は、リレーレンズ１８、ミラー１９、黒点板２０、リレーレンズ２１を経て孔あきミラー２２に達する。孔あきミラー２２で反射された光は、ダイクロイックミラー２４を透過して、対物レンズ２５により被検者眼Ｅの瞳孔付近で一旦収束した後、拡散して被検者眼Ｅの眼底を照明する。
【００１６】
一方、眼底からの反射光は、対物レンズ２５、ダイクロイックミラー２４、孔あきミラー２２の開口部、撮影絞り３１、フォーカシングレンズ３２、結像レンズ３３、跳ね上げミラー３４、ダイクロイックミラー３７、リレーレンズ３６を介して撮像素子３８に結像する。また、撮影光源１４の発光により眼底が可視光で照明されることにより、眼底からの反射光が、対物レンズ２５、孔あきミラー２２の開口部、撮影絞り３１、フォーカシングレンズ３２、結像レンズ３３を経て、二次元撮像素子３５に結像する。
【００１７】
＜スプリット指標投影光学系＞  スプリット指標投影光学系４０は、赤外光源４１、スリット指標板４２、スリット指標板４２に取り付けられた２つの偏角プリズム４３、投影レンズ４７、照明光学系１０の光路に斜設されたスポットミラー４４を備える。スポットミラー４４はレバー４５の先端に固着されていて、通常は光軸に斜設されるが、撮影時にはロータリーソレノイド４６の軸の回転で、光路外に退避させられる。なお、スポットミラー４４は被検者眼Ｅの眼底と共役な位置に配置される。光源４１、スリット指標板４２、偏角プリズム４３、投影レンズ４７、スポットミラー４４及びレバー４５は、フォーカシングレンズ３２と連動して移動機構４９により光軸方向に移動される。
【００１８】
また、スプリット指標投影光学系４０のスリット指標板４２の光束は、偏角プリズム４３及び投影レンズ４７を介してスポットミラー４４により反射された後、リレーレンズ２１、孔あきミラー２２、ダイクロイックミラー２４、対物レンズ２５を経て被検者眼Ｅの眼底に投影される。眼底のフォーカスが合っていないとき、スリット指標板４２の指標像は分離され、フォーカスが合っているときに一致して投影される。そして、被検者眼Ｅの眼底上に投影されたスプリット指標像（後述するスプリット指標像Ｓ１，Ｓ２）は、眼底観察用の撮像素子３８によって眼底像と共に撮像される。
【００１９】
＜アライメント指標投影光学系＞  アライメント指標投影光学系５０は、図２（ｂ）の点線内の図に示すように、撮影光軸Ｌ１を中心とした同心円上に複数個の赤外光源が配置されており、撮影光軸Ｌ１を通る垂直平面を挟んで左右対称に配置された赤外光源５１とコリメーティングレンズ５２を持つ第１指標投影光学系（０度、及び１８０）と、第１指標投影光学系とは異なる位置に配置され６つの赤外光源５３を持つ第２指標投影光学系とを備える。この場合、第１指標投影光学系は被検者眼Ｅの角膜に無限遠の指標を左右方向から投影し、第２指標投影光学系は被検者眼Ｅの角膜に有限遠の指標を上下方向もしくな斜め方向から投影する。なお、図２（ａ）には、便宜上、第１指標投影光学系（０度、及び１８０度）と、第２指標投影光学系の一部（４５度、１３５度）のみが図示されている。
【００２０】
＜前眼部観察光学系＞  前眼部観察光学系６０は、ダイクロイックミラー２４の反射側に、フィールドレンズ６１、ミラー６２、絞り６３、リレーレンズ６４、赤外域の感度を持つ二次元撮像素子６５を備える。また、二次元撮像素子６５はアライメント指標検出用の撮像手段を兼ね、中心波長９４０ｎｍの赤外光を発する前眼部照明光源５８により照明された前眼部とアライメント指標が撮像される。なお、二次元撮像素子６５で撮像された前眼部像からは被検者眼の瞳孔形状が得られる。前眼部照明光源５８により照明された前眼部は、対物レンズ２５、ダイクロイックミラー２４及びフィールドレンズ６１からリレーレンズ６４までの光学系を介して二次元撮像素子６５で受光される。また、アライメント指標投影光学系５０が持つ光源の点灯により、アライメント用光束による角膜反射光が二次元撮像素子６５で検出される。二次元撮像素子６５の出力が制御部８０に入力されると、モニタ８には前眼部像Ｆが表示される（図４参照）。なお、前眼部観察光学系６０は、被検者眼に対する装置本体のアライメント状態を検出する役割を兼用している。
【００２１】
＜固視標呈示光学系＞  固視標呈示光学系７０は、赤色の可視光源７４、開口穴が形成された８個の遮光板を持つ遮光板７１、リレーレンズ７５を備え、ダイクロイックミラー３７を介して跳ね上げミラー３４から対物レンズ２５までの観察光学系３０の光路を共用する。各遮光板７１には開口穴７１ａ〜７１ｈが形成されている。ディスク板７２はパルスモータ７３で回転駆動され、各遮光板７１が選択的に光源７４の前に配置されると、開口穴７１ａ〜７１ｈの形成位置に対応して、光軸Ｌ２に対し８個の位置に固視標が呈示される。なお、図３は固視標呈示光学系によって呈示される固視標の呈示位置についての説明図である。固視標の光束は、リレーレンズ７５、ダイクロイックミラー３７、跳ね上げミラー３４、結像レンズ３３、フォーカシングレンズ３２、孔あきミラー２２、ダイクロイックミラー２４、対物レンズ２５を通過して眼底に集光する。これにより、被検者は所定の開口穴７１ａ〜７１ｈのいずれかからの光束により固視標を視認する。
【００２２】
なお、固視標呈示光学系７０は、眼底中心部を撮影する標準撮影と眼底周辺部を撮影する周辺撮影とで固視標の呈示位置が変更される構成となっている。例えば、開口穴７１ｂに対応する固視標位置９１Ｒは、右眼の黄班、視神経乳頭をバランスよく含む眼底後極部付近を中心に撮影するときに使用され、この固視標位置９１Ｒが右眼撮影時の標準位置とされる。一方、開口穴７１ａに対応する固視標位置９１Ｌは左眼の黄班、視神経乳頭をバランスよく含む眼底後極部付近を中心に撮影するときに使用され、この固視標位置９１Ｌが左眼撮影時の標準位置とされる。そして、開口穴７１ｃ〜７１ｈに対応する固視標の位置９２〜９７が周辺撮影用とされる。
【００２３】
＜制御系＞  二次元撮像素子３５、３８、６５の出力は制御部８０に接続される。制御部８０は二次元撮像素子６５で撮像された前眼部画像からアライメント指標を検出処理すると共に、瞳孔形状を検出してその中心位置（瞳孔中心）を求める。また、二次元撮像素子３８で撮像された眼底画像からスプリット指標像を検出処理する。なお、前眼部観察の撮像素子６５と眼底観察用の撮像素子３８とが個別に設けられているため、制御部８０には撮像素子６５と撮像素子３８からの信号が同時に入力され、撮像素子６５を用いたアライメントと撮像素子３８を用いたフォーカス調節とが順次に行われるようになっている。
【００２４】
また、制御部８０は二次元撮像素子６５で撮像された前眼部像又は二次元撮像素子３８で撮影された眼底観察像をモニタ８に表示させる。なお、本実施形態では、制御部８０は上述のアライメントとフォーカス調節とが完了していない状態では、モニタ８に前眼部像を表示させ、両方の処理が完了した状態でモニタ８の表示を眼底像Ｆに切換える処理を行うものとしている。
【００２５】
制御部８０には、他に、駆動部６、移動機構４９、挿脱機構３９、挿脱機構６６、パルスモータ７３、回転ノブ４ａ、撮影スイッチ４ｂ、各種のスイッチを持つスイッチ部８４、記憶手段としてのメモリ８５、各光源等が接続されている。なお、スイッチ部８４には、眼底像Ｆのフォーカス調整を行うためのフォーカス調整スイッチ８４ａ、被検者眼に対する固視標の呈示位置を変更するための固視標呈示スイッチ８４ｂ等が配置されている。
【００２６】
また、制御部８０は、撮像素子６５の撮影信号に基づいて被検者眼に対する装置本体３のアライメント偏位量を検出する役割を有する。更に、制御部８０は、被検者眼Ｅの前眼部像ＡＥが表示されたモニタ８の画面上（図４参照）において、レチクルＬＴを電子的に形成して表示させると共に、検出されたアライメント偏位量に応じて表示位置が移動されるアライメント指標Ａ１を電子的に形成して合成表示させる。
【００２７】
また、制御部８０は、被検者眼Ｅの眼底像Ｆがモニタ８に表示されるときに、撮像素子３８による撮像で光学的に検出されたスプリット指標像の分離状態に基づき、電子的なスプリット指標（後述する電子スプリット指標Ｓ１１，Ｓ２１に対応）を生成して表示させる（表示制御手段）。また、制御部８０は眼底像Ｆがモニタ８に表示される際にスプリット指標呈示光学系４０によるスプリット指標像の検出を停止させる。
【００２８】
更に、制御部８０は周辺部の撮影（周辺撮影）の時に、光学的に検出されたスプリット指標像の一方がケラレてしまう場合には、被検者眼Ｅに対する撮影部３の位置をアライメント許容範囲内で微動させる（オフセットさせる）ことで一対のスプリット指標像が検出されるようにする。そして、眼底像Ｆがモニタ８に表示される時に、撮影部３の移動により生じたスプリット指標像の分離状態の光学的なずれを、撮影部３の移動量（例えば、パルスモータの回転量）に基づき取得して、これに基づき電子スプリット指標を生成してモニタ８に表示させるようにする。なお、周辺撮影時の撮影位置の調節及び電子スプリット指標の生成方法についての詳細な説明は後述する。
【００２９】
以上のような構成を備える眼底カメラの動作について、眼底の中央位置（後極部位）を撮影する場合（標準撮影）と眼底の周辺位置（周辺部位）を撮影する場合（周辺撮影）の場合に分けて説明する。なお、以下の説明では、フォーカス合わせにオートフォーカスモードが選択され、被検者眼の右眼を撮影する場合を例に挙げて説明する。
【００３０】
はじめに、標準撮影の場合を説明する。まず、被検者の顔を顔支持ユニット５により支持した状態で、ジョイスティック４の操作で撮影部３が被検者眼Ｅに近づくように移動台２を移動させる。なお、この時、ダイクロイックミラー２４は撮影光学系３０の光路に挿入されており、パルスモータ７３の回転によって遮光版７１の開口穴７１ｂが光源７４の前に配置される。これにより被検者眼には固視標位置９１Ｒの固視標が投影されて、固視が行われるようになる。
【００３１】
制御部８０には、撮像素子６５及び撮像素子３８からの撮像信号が同時に入力されている。制御部８０は、アライメントとフォーカスが完了していない状態では、撮像素子６５で撮像された前眼部像ＡＥがモニタ８に表示されるようにする。一方、検者は前眼部像ＡＥがモニタ８に表示されるように、ジョイスティック４の操作で撮影部３を三次元方向に移動させる。前眼部像ＡＥがモニタ８に現れるようになると、８つの指標像Ｍａ〜Ｍｈが現れるようになる。
【００３２】
図４はモニタ８に表示される前眼部像ＡＥの例であり、図４（ａ）にはアライメントが合っていない状態、図４（ｂ）にはアライメントが合ったときの状態が示されている。被検者眼の角膜上に投影されたアライメント指標像が撮像素子６５で検出されると、制御部８０は、撮像素子６５からの撮像信号に基づいて被検者眼に対する撮影部３のアライメント偏位量を検出する。より具体的には、制御部８０は、リング状に投影された指標像Ｍａ〜Ｍｈによって形成されるリング形状の中心のＸＹ座標を略角膜頂点（アライメント基準位置）として検出してアライメント指標Ａ１を表示させる、また、予め撮像素子６５上に設定されたＸＹ方向の基準となる位置（例えば、撮像素子６５の撮像面と撮影光軸Ｌ１との交点）に基づきレチクルＬＴを表示させるとともに、アライメント指標Ａ１とレチクルＬＴとの偏位量を求める。そして、無限遠の指標像Ｍａ，Ｍｅの間隔と、有限遠の指標像Ｍｈ，Ｍｆの間隔とを比較することでＺ方向のアライメント偏位量を求める。
【００３３】
本実施形態では、制御部８０は、レチクルＬＴとアライメント指標Ａ１が合致するように、三次元方向のアライメント偏位量が所定のアライメント許容範囲を満たすように撮影部３を移動させ、三次元方向のアライメントの合致状態を判定する。なお、差動距離方向のアライメントはインジケータＧの本数の増減により確認することができる。検者は、図４（ｂ）に示すように、インジケータＧの本数が１本となるようにジョイスティック４の操作で作動距離方向の位置合わせを行う。
【００３４】
以上のようにして、アライメント状態の検出が完了したら、制御部８０はスプリット指標投影光学系４０から投影され、撮像素子３８で検出されたスプリット指標像の情報に基づき、眼底に対するフォーカス調節（オートフォーカス）を行う。なお、図５は撮像素子３８による撮像で得られる眼底像Ｆ及びスプリット指標像Ｓ１，Ｓ２についての説明図であり、図５（ａ）にフォーカスが合っていない状態（スプリット指標Ｓ１，Ｓ２が分離されている状態）、図５（ｂ）にフォーカスが合っている状態（スプリット指標像Ｓ１，Ｓ２が合致している状態）が示されている。
【００３５】
眼底後極部付近を中心に投影されたスプリット指標像Ｓ１、Ｓ２が撮像素子３８で撮像されると、制御部８０はその分離状態を検出してスプリット指標Ｓ１，Ｓ２が合致するように、移動機構３９を駆動させて、フォーカシングレンズ３２を光軸上で移動させる。これにより眼底のフォーカスが合わせられる。
【００３６】
そして、制御部８０は眼底のフォーカス状態が合ったときに、モニタ８の表示を前眼部像ＡＥから撮像素子３８で撮像される眼底像Ｆに切換える。そして、制御部８０は、撮像素子３８で検出された光学的なスプリット指標Ｓ１，Ｓ２の位置に対応させて、電子的に生成したスプリット指標像（以下、電子スプリット指標）Ｓ１１，Ｓ２１を、モニタ８の眼底像Ｆ上に重ねて表示させる。これにより、電子スプリット指標Ｓ１１，Ｓ２１を用いたフォーカスの合致状態を好適に把握できるようになる。
【００３７】
なお、この時（電子スプリット指標の表示時）、制御部８０にてスプリット指標投影光学系４０の光源４１が消灯される（減光される）ようにして、光学的なスプリット指標によるフォーカス検出を停止する（オートフォーカスを終了する）ようにしても良い。この場合、電子スプリット指標Ｓ１１，Ｓ２１が表示された状態で、マニュアルでのフォーカス調節が行われるようになる。具体的には、制御部８０は、フォーカス調節スイッチ８４ａからの入力信号によって移動機構４９を駆動制御して、フォーカシングレンズ３２を光軸上で移動させる。この時、制御部８０は移動機構４９の移動量を検出して、モニタ８上の電子スプリット指標Ｓ１１,Ｓ２１の表示位置（分離状態）を調節する。これにより、スプリット指標投影光学系４０による光学的な検出が行われない状態で、眼底のフォーカス調節が行われるようになる。
【００３８】
次に、周辺撮影の場合を説明する。検者は、スイッチ８４ｂの操作で固視標の呈示位置を眼底周辺用の任意の呈示位置に設定する。周辺撮影の場合、周辺撮影用の固視標の方向に視線が誘導される。固視標により被検者眼の視線が誘導された状態で、前述と同様な方法で、制御部８０によるアライメントとフォーカス調整とが行われる。まず、制御部８０は撮像素子６５からの撮像信号に基づき、レチクルＬＴとアライメント指標Ａ１とが合致するように、撮影部３の上下左右方向の移動制御を行う。またインジケータＧの表示が一本になるように差動距離方向の調節を行う。
【００３９】
なお、周辺撮影ではアライメント指標Ａ１は被検者眼の瞳孔中心と一致しない角膜位置に形成されるようになる。その為、撮影光束が被検者眼の虹彩によってケラレ易くなっていると共に、スプリット指標投影光学系４０から投影されるスプリット指標像Ｓ１，Ｓ２も虹彩によってケラレてしまう場合がある。特に被検者眼の瞳孔径が小さい小瞳孔径の場合にはスプリット指標像Ｓ１，Ｓ２の一方がケラレでしまう可能性が高くなる。
【００４０】
そこで、本実施形態では、周辺撮影でスプリット指標像Ｓ１，Ｓ２の一方がケラレる場合には、制御部８０は撮影光軸Ｌ１が被検者眼の瞳孔中心側へと移動するように撮影部３を移動させるようにする。そして、撮像素子６５で撮影された前眼部像ＡＥから検出される被検者眼の瞳孔径から瞳孔中心の位置を求め、駆動部６による装置本体３の駆動制御で、撮影光軸Ｌ１が瞳孔中心に近づくように移動させる。これにより、撮像素子３８によってスプリット指標像Ｓ１，Ｓ２の両方が検出されるようにする。なお、本実施形態では瞳孔中心を求めて、撮影光軸Ｌ１が瞳孔中心に近づく方向に撮影部３を移動させることによりスプリット指標像Ｓ１，Ｓ２の両方が検出されるようにするものとしたが、これに限るものではない。撮影時のフレア発生を抑えつつ、一方のスプリット指標像のケラレが解消される程度に撮影部３が微動されればよい。例えば、周辺撮影時の固視標の呈示位置に基づいて撮影部３の移動方向や移動量が予め定まっていても良い。
【００４１】
また、スプリット指標像のケラレ解消のため撮影部３を移動させる場合、制御部８０は撮影部３の移動量に基づき、アライメント基準位置をオフセットさせた状態で、再度アライメントを実行するようにしても良い。このようにすると、より精度良く眼底撮影が行われるようになる。
【００４２】
ところで、撮影部３を移動することにより、スプリット指標像Ｓ１，Ｓ２の両方が撮像素子３８で受光されるようになる。しかし、撮影部３がアライメント基準位置から若干ずれた状態である場合、スプリット指標像Ｓ１，Ｓ２の合致位置と、眼底のフォーカスが合った状態との間に光学的なずれが生じてしまうことになる。つまり、撮影部３がアライメント基準位置から若干ずれると、スプリット指標像Ｓ１，Ｓ２の通過する角膜の位置が変わることで収差（屈折力）の影響を受けることになる。これにより、光学的なスプリット指標Ｓ１，Ｓ２は分離状態（合致状態）が変わってしまう事になる。なお、撮影部３がスプリット指標像Ｓ１，Ｓ２の分離方向（移動方向）と同じ方向に移動されると、合致状態における両指標像のずれが大きくなり易く、スプリット指標像Ｓ１，Ｓ２を用いたフォーカス状態の正確な判断ができなくなる可能性がある。
【００４３】
そこで、本実施形態では、撮影者が実際のフォーカス状態がどのようになっているかを把握しやすくするために、撮影部３の移動量に応じて電子的なスプリット指標Ｓ１１，Ｓ２１の合致状態を補正して表示する。つまり、制御部８０は、装置本体３を移動させたときの駆動部（パルスモータ）６の回転数とその方向（スプリット指標像Ｓ１，Ｓ２の分離方向に対する方向）とから、スプリット指標Ｓ１，Ｓ２に生じる分離量（ずれ量）を求める。なお、この分離量は、装置本体３の移動方向毎にパルスモータの回転数と、それによって生じるスプリット指標Ｓ１，Ｓ２の分離量とを、予め関連付けてメモリ８５に記憶することで求められるようになっている。そして、制御部８０は、検出されるスプリット指標像Ｓ１，Ｓ２が、求められたずれ量に対応した分離状態となったときに、フォーカス調節が完了したと判定する。
【００４４】
以上のようにして、アライメントとフォーカス調整（オートフォーカス）が完了すると、制御部８０はモニタ８の表示を眼底像Ｆに切換えると共に、スプリット指標投影光学系４０による光学的なスプリット指標像の検出を停止させる。また、制御部８０は、上述のように表示位置が調節された（合致した）電子スプリット指標Ｓ１１，Ｓ２１を生成してモニタ８上の眼底像Ｆ上に重ねて表示させる。
【００４５】
ここで、図６にフォーカスが合っている状態での電子スプリット指標と光学スプリット指標像との関係の説明図を示す。つまり、周辺撮影において一方のスプリット指標像がケラレているときに、これを解消するために撮影部３の位置が調節（移動）された場合、フォーカスが合致した状態であっても、光学的に検出されるスプリット指標Ｓ１，Ｓ２はその合致位置にずれが生じることになる。しかしながら、本実施形態では、そのずれ量が補正され、合致状態とされた電子スプリット指標Ｓ１１，Ｓ２１がモニタ８に表示されることでフォーカスの合致状態を検者（撮影者）に正しく示すことができるようになる。
【００４６】
また、周辺撮影の場合にもフォーカス調節スイッチ８４ａの操作によって電子スプリット指標Ｓ１１，Ｓ２１を用いたフォーカスの微調節を行うことができる。
以上のようにすることで、被検者眼の周辺撮影を行う場合に虹彩等によってスプリット指標の一方がけられたとしても、電子的に生成されたスプリット指標を用いて正しいフォーカス状態を把握することができるようになる。
【００４７】
なお、上記では撮影部をアライメント基準位置から微動させたあとで、検出されるスプリット指標像の受光結果に基づいてフォーカス状態を判定するものとしているが、これに限るものではない。例えば、微動させる前の状態で、ケラレていない一方のスプリット指標像のみが撮像素子で検出されているときに、その一方のスプリット指標像がフォーカス完了とされる撮像素子上の基準位置に達したことが検出されたときにフォーカスを完了させる。そして、フォーカス完了後により好適な撮影を行う目的で装置を微動させる場合にも本発明が適用されるようにしても良い。なお、この場合、微動後の被検者眼に対する撮影部の移動により、フォーカスは合っているがスプリット指標像がずれた状態となる。そこで、このようなずれを補正したスプリット指標をモニタに電子的に合成表示させるようにする。
【００４８】
なお、上記では、撮像素子６５で検出された前眼部像ＡＥから、駆動部６による装置本体３の移動方向、移動量を決定するものとしているが、これに限られるものではない。例えば、スプリット指標Ｓ１，Ｓ２の一方がケラレる可能性の高い周辺撮影の場合に、固視標呈示光学系７０による固視標の呈示位置に応じて、予め装置本体３を所定量移動させることで、スプリット指標Ｓ１，Ｓ２の両方が表示されるようにする補正モードが予め用意されていても良い。この場合、固視標の呈示位置に関連付けられた装置本体３（駆動部６）の移動量と移動方向とがメモリ８５に記憶される。そして、検者は必要に応じて補正モードを選択するようにすれば良い。
【００４９】
更に、上記では自動的にフォーカス調整が行われる場合について説明したが、手動でフォーカス調節が行われる場合（マニュアルフォーカス）にも本発明が適用されることで、より精度良く眼底のフォーカス調節を行うことができるようになる。マニュアルフォーカスで周辺撮影を行う場合にも、光学的に検出されたスプリット指標Ｓ１，Ｓ２の一方がケラレる場合には、検者は図示を略す操作部材及び回転ノブ４ａの操作による駆動部６の駆動で撮影部３を移動させて、モニタ８にスプリット指標Ｓ１，Ｓ２の両方が表示されるようにする（撮像素子３８で検出されるようにする）。
【００５０】
この時、図７に示すようにモニタ８に眼底像Ｆと共に前眼部像ＡＥが表示されるようにしても良い（本実施形態では、制御部８０によって撮像素子３８による眼底像Ｆと撮像素子６５による前眼部像ＡＥとが同時に検出される）。この場合、検者はより簡単に撮影部３を被検者眼の瞳孔側へと移動させることができるようになる。また、光学的なスプリット指標Ｓ１，Ｓ２の両方が検出されたことを撮像素子３８からの入力信号に基づき制御部８０が検者に知らせるようにしても良い（例えば、モニタ８に所定のメッセージを表示させる等）。
【００５１】
以上のようにして、光学的なスプリット指標Ｓ１，Ｓ２が検出されたら、制御部８０はアライメント基準位置からの駆動部６の駆動量（ずれ量）と、光学的な電子スプリット指標Ｓ１，Ｓ２の表示位置（合致状態）に基づき、電子スプリット指標Ｓ１１，Ｓ２１の表示位置を求める処理を行う。これにより、モニタ８にフォーカス状態が正しく反映されている電子スプリット指標Ｓ１１，Ｓ２１が表示されるようになり、検者は電子スプリット指標Ｓ１１，Ｓ２１を用いて眼底のフォーカス調節を好適に行うことができるようになる。なお、電子スプリット指標表示後のフォーカス調整では、フォーカシングレンズの移動量に基づいて電子スプリットの合致状態を適宜変更させればよい。さらに、電子スプリット指標Ｓ１１，Ｓ２１がの表示時には前述同様に光学的な電子スプリット指標Ｓ１，Ｓ２は消灯させて（又は、減光させて）目立たないように表示させるようにしても良い。
【００５２】
なお、上記では、オートフォーカスを行う場合に撮影部３を所定量だけ移動させるものとしているが、これに限られるものではない。例えば、撮影光軸Ｌ１が瞳孔中心に近づくように撮影部３を移動させていく間に、撮像素子３８でスプリット指標Ｓ１，Ｓ２が検出されれば、撮影部３の移動を停止させるようにしても良い。このようにすると、撮影部３の移動量が少なくて済むようになる。
【図面の簡単な説明】
【００５３】
【図１】眼底カメラの外観構成の説明図である。
【図２】眼底カメラの光学系及び制御系の概略構成図である。
【図３】固視標呈示光学系による固視標の呈示位置についての説明図である
【図４】モニタに表示される前眼部像の例である。
【図５】眼底像及びスプリット指標像の説明図である。
【図６】電子スプリット指標と光学スプリット指標像との関係の説明図である。
【図７】第２実施形態のモニタの表示画面の説明図である。
【符号の説明】
【００５４】
３  撮影部
８  モニタ
１０  照明光学系
３０  眼底観察・撮影光学系
３２  フォーカシングレンズ
３５、３８、６５  二次元撮像素子
４０  スプリット指標投影光学系
５０  アライメント指標投影光学系
６０  前眼部観察光学系
７０  固視標呈示光学系
８０  制御部
【図１】
0005745864.tif 000002
【図２】
0005745864.tif 000003
【図３】
0005745864.tif 000004
【図４】
0005745864.tif 000005
【図５】
0005745864.tif 000006
【図６】
0005745864.tif 000007
【図７】
0005745864.tif 000008